(57)【要約】      （修正有）【課題】賞球タンクのタンクレールから賞球装置に遊技球を導くカーブレールを、コンパクトに且つ高精度に形成することの出来パチンコ機を提供する。【解決手段】  タンクレール４８の出側開口７８と賞球払出装置５２の入側開口８２の間に跨って配設される複数の凹溝レール５４ａ，ｂを、取付板３６に順次に重ね合わせて固定し、各凹溝レール５４を取付板３６または他の凹溝レール５４の底壁５８で覆蓋することで、球通路７２，７４を形成する一方、直接に重ね合わせられる凹溝レール５４ａ，ｂにおいてその一方の凹溝レール５４ａの両側壁５６ａ，５６ａから他方の凹溝レール５４ｂの側に突出して他方の凹溝レール５４ｂの両側壁５６ｂ、５６ｂの外面８６，８６にそれぞれ係止される係止突部６２ａを複数設けて、これらの係止突部６２ａにより直接に重ね合わせられる凹溝レール５４ａ，ｂを相互に位置決めした。【選択図】      図３
2005124782.tif 000002
【特許請求の範囲】
【請求項１】
賞球タンクの下方に設けられたタンクレールの先端の出側開口と該タンクレールの下方に配設された賞球払出装置の入側開口の間にカーブレールを配設して、該カーブレールを該賞球タンクおよび該賞球払出装置と共にパチンコ機の裏面側に配された取付板に固定することにより、該タンクレールの出側開口と該賞球払出装置の入側開口を相互に接続せしめて該賞球タンクから排出される遊技球を該賞球払出装置に導く管状の球通路を互いに並列的に複数形成したパチンコ機において、
前記タンクレールの出側開口と前記賞球払出装置の入側開口の間に跨って互いに略同じ形状で湾曲して延びる凹溝レールを複数用いて、それらを前記取付板上で各開口を該取付板に向けて順次に重ね合わせて、各凹溝レールを該取付板または他の該凹溝レールの底壁で覆蓋することによって前記カーブレールを構成し、重ね合わせた該凹溝レールの数だけ前記球通路を並列的に形成する一方、直接に重ね合わせられる凹溝レールにおいてその一方の該凹溝レールの両側壁から他方の該凹溝レールの側に突出して該他方の凹溝レールの両側壁の外面にそれぞれ係止される係止突部を複数設けて、これらの係止突部により直接に重ね合わせられる凹溝レールを相互に位置決めしたことを特徴とするパチンコ機。
【請求項２】
前記一方の凹溝レールにおける前記両側壁にそれぞれ設けられて該一方の凹溝レールを前記取付板に固定するための固定部を前記他方の凹溝レールの側に突出せしめることで前記係止突部が構成されている請求項１に記載のパチンコ機。
【請求項３】
互いに重ね合わせた前記凹溝レールを、前記タンクレールに接続される側と前記賞球払出装置に接続される側との両方の端部付近において前記係止突部で相互に位置決めした請求項１又は２に記載のパチンコ機。
【請求項４】
互いに重ね合わせた前記凹溝レールを、湾曲部分の付近において前記係止突部で相互に位置決めした請求項１乃至３の何れかに記載のパチンコ機。
【請求項５】
前記係止突部を、前記一方の凹溝レールの側壁の外面上に突き出した形態で一体形成すると共に、突き出し方向において外方端部よりも該側壁上の端部の方がレール長手方向に広がった断面形状として、略一定の断面形状で前記他方の凹溝レールの側に突出せしめた請求項１乃至４の何れかに記載のパチンコ機。
【請求項６】
複数の前記凹溝レールのうちで他の該凹溝レールに重ね合わせられて該他の凹溝レールの底壁で開口を覆蓋せしめられるものにおいて、その深さ寸法をレール長手方向で漸変させて前記賞球払出装置との接続端部を前記タンクレールとの該接続端部よりも深底とすると共に、その開口を覆蓋する該他の凹溝レールの該底壁において深底とされた該凹溝レールの内部に入り込む当接リブを設けて、該当接リブの突出先端面と深底とされた該凹溝レールの底面との対向面間において前記遊技球を導く球通路を形成した請求項１乃至５の何れかに記載のパチンコ機。
【発明の詳細な説明】
【技術分野】
【０００１】
本発明は、賞球タンクに貯留された遊技球を整列して流下させるタンクレールと賞球払出装置を接続するカーブレールを備えた遊技機に係り、特に、新規な構造のカーブレールを備えたパチンコ機に関するものである。
【背景技術】
【０００２】
従来、パチンコ機の中枠の裏側には、遊技盤を取り付けるための取付枠が設けられており、かかる取付枠に対して機構板が回動可能に装着されている。また、この機構板の上部には、パチンコ機の上方に配設された補給樋から補給される遊技球を貯留する賞球タンクが固着されており、かかる賞球タンクの下方には、賞球タンクに貯留された遊技球を整列させながら流下せしめるタンクレールが設けられている。更にまた、タンクレールの流下端には、カーブレールが接続されており、かかるカーブレールの流下端に対して、遊技盤上に設けられた各種入賞口への遊技球の入賞に基づいて賞球（遊技球）を払い出す賞球払出装置が接続されている。
【０００３】
このようにタンクレールと賞球払出装置を接続するカーブレールは、カーブレールに設けられた球通路を一列で流下せしめられる遊技球を、後続の遊技球によって及ぼされる圧力（球圧）を弱めながら賞球払出装置に誘導するものであることから、一般に、遊技球が流下せしめられる球通路は、湾曲形状とされている。また、カーブレールには、このように湾曲した形状を有する球通路が複数条設けられている場合が多い。それ故、従来構造のカーブレールは、一般に、特許文献１，２等に記載されているように、外板と裏板の間に仕切板を重ね合わせて相互に固定的に組み立てることによって複数の板材の対向面間に複数条の球通路を形成せしめた構造とされている。
【０００４】
しかしながら、特許文献１，２に記載の如き従来構造のカーブレールは、大形の複数枚のプレートを相互に重ね合わせた構造とされていることから、部材の組み付けが面倒で固定等の作業もやりづらいという問題があった。
【０００５】
そこで、このような問題に対処するために、凹溝断面で蛇行して延びるだけの凹溝レールを用いて、これらの複数を互いに重ね合わせることにより、カーブレールを形成することも考えられる。
【０００６】
ところが、従来構造のように大形のプレート部分を持たない、かくの如き凹溝レールを重ね合わせてカーブレールを構成しようとすると、以下のような問題が新たに発生することとなり、その実用化が難しかったのである。
（イ）従来構造では、相互に重ね合わせられる複数の部材を互いに位置合わせするためのピン等を、大きなプレート部分において自由に設けることが可能であったが、凹溝レールの重ね合わせ構造を採用すると、重ね合わせた凹溝レールを相互に位置決めすることが難しく、装着する際に位置ずれが発生して作業しづらい。また、位置がずれたままで複数の凹溝レールを重ね合わせて相互に固定してしまうと、球通路の断面形状が変形してしまい、遊技球のスムーズな流通が実現され難くなってしまうおそれがある。
（ロ）従来構造では、大きなプレート部分において互いに重ね合わせ方向に突出するリブ等を、容易に目視できるだけの大きさで形成すること等が可能であったが、凹溝レールの重ね合わせ構造を採用すると、互いに重ね合わせられる複数の凹溝レールの全てが略同じような形状となることから、重ね合わせ順序を作業者が組み付け時に間違い易いという問題がある。そして、間違えたままで組み付けると目的とする球通路が形成されない不具合が発生することとなり、作業途中で気づいたとしても、組み付けた凹溝レールを外してから再び組み付け直すのに余分の時間と労力を必要とすることから効率が悪いという問題があった。
【０００７】
【特許文献１】特開平７−２５５９２９号公報
【特許文献２】特開平８−８０３６９号公報
【発明の開示】
【発明が解決しようとする課題】
【０００８】
ここにおいて、本発明は上述の如き事情を背景として為されたものであり、その解決課題とするところは、カーブレールを構成する複数の組付体を、コンパクトな凹溝レール形状とすることが出来ると共に、それらを容易に且つ間違えないで重ね合わせて組み付けることが出来る、新規な構造のカーブレールを備えたパチンコ機を提供することにある。
【課題を解決するための手段】
【０００９】
以下、このような課題を解決するために為された本発明の態様を記載する。なお、以下に記載の各態様において採用される構成要素は、可能な限り任意の組み合わせで採用可能である。また、本発明の態様乃至は技術的特徴は、以下に記載のものに限定されることなく、明細書全体および図面に記載されたもの、或いは、それらの記載から当業者が把握することが出来る発明思想に基づいて認識されるものであることが理解されるべきである。
【００１０】
本発明の第一の態様は、賞球タンクの下方に設けられたタンクレールの先端の出側開口と該タンクレールの下方に配設された賞球払出装置の入側開口の間にカーブレールを配設して、該カーブレールを該賞球タンクおよび該賞球払出装置と共にパチンコ機の裏面側に配された取付板に固定することにより、該タンクレールの出側開口と該賞球払出装置の入側開口を相互に接続せしめて該賞球タンクから排出される遊技球を該賞球払出装置に導く管状の球通路を互いに並列的に複数形成したパチンコ機において、前記タンクレールの出側開口と前記賞球払出装置の入側開口の間に跨って互いに略同じ形状で湾曲して延びる凹溝レールを複数用いて、それらを前記取付板上で各開口を該取付板に向けて順次に重ね合わせて、各凹溝レールを該取付板または他の該凹溝レールの底壁で覆蓋することによって前記カーブレールを構成し、重ね合わせた該凹溝レールの数だけ前記球通路を並列的に形成する一方、直接に重ね合わせられる凹溝レールにおいてその一方の該凹溝レールの両側壁から他方の該凹溝レールの側に突出して該他方の凹溝レールの両側壁の外面にそれぞれ係止される係止突部を複数設けて、これらの係止突部により直接に重ね合わせられる凹溝レールを相互に位置決めしたことを、特徴とする。
【００１１】
このような本態様に従う構造とされたパチンコ機においては、直接に重ね合わせられる凹溝レールの一方において、一方の凹溝レールの両側壁から他方の凹溝レールの側に突出して他方の凹溝レールの両側壁の外面にそれぞれ係止される係止突部が複数設けられていることから、一方の凹溝レールに設けられた係止突部が目印となって、直接に重ね合わせられる凹溝レール同士が区別されることとなる。その結果、作業者に凹溝レールを重ね合わせる順番等に対する注意を喚起することが可能となり、作業者が間違った順番で複数の凹溝レールを重ね合わせることを回避することが可能となる。
【００１２】
また、本態様においては、一方の凹溝レールにおける両側壁に複数設けられた係止突部によって直接に重ね合わせられる凹溝レールを相互に位置決めしていることから、直接に重ね合わせられる凹溝レール同士の位置決め精度が向上せしめられることとなる。それ故、複数の凹溝レールがずれた状態で重ね合わされることを防止することが可能となり、それによって、カーブレールにおけるタンクレールとの接続箇所および賞球払出装置との接続箇所における隙間や段差の形成を防止して、タンクレールからカーブレール、そして、賞球払出装置への遊技球の流下をスムーズにすることが可能となる。
【００１３】
特に、本態様においては、一方の凹溝レールの両側壁に複数設けられた係止突部によって他方の凹溝レールが挟まれて、直接に重ね合わせられる凹溝レール同士の相対的な位置関係が規定されるようになっていることから、直接に重ね合わせられる凹溝レール同士の位置決め精度が向上せしめられることとなり、複数の凹溝レール同士がずれた状態で重ね合わされることを防止することが一層可能となる。
【００１４】
加えて、本態様においては、従来構造のように大形のプレート部分を備えないコンパクトな形状をもって形成された複数の凹溝レールを、取付板上で各開口を取付板に向けて順次に重ね合わせて固定し、各凹溝レールを取付板または他の凹溝レールの底壁で覆蓋することによって、重ね合わせた凹溝レールの数だけの球通路を並列的に形成することが出来るのであり、構成部品や全体構造がコンパクトに構成されることとなり、部品の取り扱いや組付作業が大幅に向上され得る。また、遊技中に、球通路での球詰まり等が発生した場合にも、複数の凹溝レールを容易に分解することが出来ることから、簡易且つ速やかに対処することが可能となるのである。
【００１５】
本発明の第二の態様は、前記第一の態様に係るパチンコ機において、前記一方の凹溝レールにおける前記両側壁にそれぞれ設けられて該一方の凹溝レールを前記取付板に固定するための固定部を前記他方の凹溝レールの側に突出せしめることで前記係止突部が構成されていることを、特徴とする。このような本態様に従えば、直接に重ね合わせられる凹溝レールの一方を取付板に固定するための固定部を巧く利用して係止突部を構成していることから、凹溝レールの構造を一層シンプルにすることが可能となる。
【００１６】
本発明の第三の態様は、前記第一又は第二の態様に係るパチンコ機において、互いに重ね合わせた前記凹溝レールを、前記タンクレールに接続される側と前記賞球払出装置に接続される側との両方の端部付近において前記係止突部で相互に位置決めしたことを、特徴とする。このような本態様に従えば、一方の凹溝レールに重ね合わせられる他方の凹溝レールにおけるタンクレールとの接続端および賞球払出装置との接続端の両方で、一方の凹溝レールに設けられた係止突部が他方の凹溝レールの両側壁の外面にそれぞれ係止されることとなり、それによって、直接に重ね合わせられる凹溝レール同士の位置決め精度がより一層向上せしめられることとなる。即ち、カーブレールは、他部材であるタンクレールや賞球払出装置への接続箇所で、特に高度の位置決め精度が要求されることとなるのであり、そこにおいて、本態様に従えば、それら他部材への接続部位における位置決め精度が係止突部で向上されることによって、かかる接続部位における不具合の原因となる隙間や段差の発生が効果的に防止され得るのである。
【００１７】
本発明の第四の態様は、前記第一乃至第三の何れかの態様に係るパチンコ機において、互いに重ね合わせた前記凹溝レールを、湾曲部分の付近において前記係止突部で相互に位置決めしたことを、特徴とする。本態様に従う構造とされたパチンコ機においては、とくに各凹溝レールにおける変形や複数の凹溝レール相互間でのズレが問題となり易いカーブレールの湾曲部分において、そこに形成された係止突部による位置決め作用が発揮されることにより、そのような凹溝レールの変形やズレに起因する不具合の発生が効果的に防止され得る。
【００１８】
すなわち、凹溝レールの両側壁における湾曲部分およびその付近には、そこに当接せしめられた遊技球を介して、賞球タンクから連なる遊技球の圧力が集中的に及ぼされやすくなっており、それによって、両側壁の湾曲部分およびその付近において凹溝レールが変形したり、相互にずれたりし易くなっているが、本態様に従えば、一方の凹溝レールにおいては、係止突部が設けられていることで、また、他方の凹溝レールにおいては、係止突部が当接せしめられることで、一方の凹溝レール側の両側壁における湾曲部分及びその付近と、他方の凹溝レール側の両側壁における湾曲部分およびその付近が実質的に補強されているのであり、その結果、直接に重ね合わせられた凹溝レール同士の相対位置が長期間に亘って安定して維持せしめられることとなる。
【００１９】
本発明の第五の態様は、前記第一乃至第四の何れかの態様に係るパチンコ機において、前記係止突部を、前記一方の凹溝レールの側壁の外面上に突き出した形態で一体形成すると共に、突き出し方向において外方端部よりも該側壁上の端部の方がレール長手方向に広がった断面形状として、略一定の断面形状で前記他方の凹溝レールの側に突出せしめたことを、特徴とする。このような本態様に従う構造とされたパチンコ機においては、係止突部の一方の凹溝レールに対する固定強度が有利に確保され得ると共に、他方の凹溝レールに対する当接面積も大きく設定され得て、相対的な位置決め精度や位置決め強度の向上が図られ得る。
【００２０】
本発明の第六の態様は、前記第一乃至第五の何れかの態様に係るパチンコ機において、複数の前記凹溝レールのうちで他の該凹溝レールに重ね合わせられて該他の凹溝レールの底壁で開口を覆蓋せしめられるものにおいて、その深さ寸法をレール長手方向で漸変させて前記賞球払出装置との接続端部を前記タンクレールとの該接続端部よりも深底とすると共に、その開口を覆蓋する該他の凹溝レールの該底壁において深底とされた該凹溝レールの内部に入り込む当接リブを設けて、該当接リブの突出先端面と深底とされた該凹溝レールの底面との対向面間において前記遊技球を導く球通路を形成したことを、特徴とする。本態様に従えば、賞球払出装置における複数の入側開口が、その内部構造等の影響で、相互に離隔位置せしめられている場合でも、凹溝レールのサイズを少なくともタンクレールに接続された方の側では浅底として複数の凹溝レールを重ね合わせた状態でのカーブレール全体のサイズをコンパクトにしながらも、カーブレールを流下せしめられる遊技球を、賞球払出装置の入側開口に対して有利に導き入れることが可能となるのであり、しかも、そのような構造が、別部材の追加や構造の複雑化を伴うことなく、簡易に実現され得るのである。
【発明の効果】
【００２１】
上述の説明から明らかなように、本発明に従う構造とされたパチンコ機においては、互いに重ね合わされる凹溝レールの側壁を巧く利用してコンパクトな係止突起によって複数の凹溝レールを相互に高精度に位置決めすることが出来るのであり、それ故、従来構造のように大形のプレート形状の組付部材を採用することなく、コンパクトな凹溝レールを用いて、良好な作業性のもとに、目的とするカーブレールを高精度に形成することが可能となるのである。
【発明を実施するための最良の形態】
【００２２】
以下、本発明を、更に具体的に明らかにするために、本発明の実施形態について、図面を参照しつつ、詳細に説明する。
【００２３】
図１は、本発明の一実施形態としてのパチンコ機１０の正面図であり、図２は、パチンコ機１０の裏側を概略的に示す図である。パチンコ機１０は、機枠１２の前面に前面枠１４を開閉自在に装着している。前面枠１４の後面側には、取付枠１５を介して遊技盤１６が着脱自在に装着される。遊技盤１６の前面には、ガイドレール１８が設けられており、そのガイドレール１８で囲まれる遊技領域２０に始動入賞口２２，液晶表示器２４，大入賞口２６等が設けられている。また、前面枠１４の前面下方部には、打球供給皿２８，下部貯留皿３０，操作ハンドル３２等が設けられている。
【００２４】
一方、パチンコ機１０の裏側には、取付枠１５の後側において、遊技盤１６に取り付けられた液晶表示器２４や大入賞口２６等の電気的駆動源を囲う本体カバー３４が装着されている。また、取付枠１５の後側には、取付板としての本体ベース３６が装着されている。なお、本体ベース３６は、取付枠１５に対して回動可能に装着されていても良いし、取付枠１５に対して回動不能に装着されていても良い。この本体ベースは、図３及び図４に示されているように、取付部３８の下端と通路形成部４０の上端が上下方向で重ね合わされて固定されることで構成されている。また、通路形成部４０は、複数の竪壁が突設されて通路溝が形成された通路形成部本体４２に対して、通路溝の開口を覆蓋する蓋体４４が固定されることで構成されている。
【００２５】
そして、本体ベース３６における取付部３８の裏面上部に対してパチンコ機１０の上方の補給樋（図示せず）から補給されるパチンコ球を貯留する賞球タンクとしての球タンク４６が固着されていると共に、球タンク４６の下方には、球タンク４６内のパチンコ球を整列して導き出すタンクレール４８が設けられており、更に、タンクレール４８の下流端にカーブレール５０を介して賞球払出装置としてのパチンコ球払出装置５２が装着されている。
【００２６】
このカーブレール５０は、二つの凹溝レールとしてのレール５４ａ，ｂを含んで構成されている。これら二つのレール５４ａ，ｂは、図５乃至図８において単品図が示されているように、何れも、レール５４の延出方向両端において湾曲しながら延びる一方、延出方向中間部分において直線的に延びる凹溝形状を有している。また、各レール５４において延出方向中間に設けられた直線的に延びる部分は略一定の勾配で傾斜しており、それによって、各レール５４におけるタンクレール４８との接続端よりもパチンコ球払出装置５２との接続端のほうが各レール５４の開口側に位置せしめられている。
【００２７】
そこにおいて、一方のレール５４ａの側壁５６ａ，５６ａの高さ寸法は、レール５４ａの延出方向中間に設けられた直線的に延びる部分においてタンクレール４８との接続端側からパチンコ球払出装置５２との接続端側に行くに従って次第に大きくなった後、パチンコ球払出装置５２との接続端側で湾曲して延びる部分において略一定の大きさとなっている。これにより、一方のレール５４ａの深さ寸法は、タンクレール４８との接続端側とパチンコ球払出装置５２との接続端側とで、その大きさが異なっており、パチンコ球払出装置５２との接続端側のほうがタンクレール４８との接続端側よりも深さ寸法が大きくなっている。
【００２８】
また、他方のレール５４ｂの底壁５８ｂには、レール５４ｂの延出方向中間に設けられた直線的に延びる部分からパチンコ球払出装置５２との接続端側において湾曲して延びる部分に亘って、その溝幅方向中間部分を他方のレール５４ｂの開口方向とは反対方向に突出する当接リブ６０が設けられている。そこにおいて、当接リブ６０は、直線的に延びる部分においてタンクレール４８との接続端側からパチンコ球払出装置５２との接続端側に行くに従って次第にその突出高さが大きくなっており、パチンコ球払出装置５２との接続端側の湾曲して延びる部分では、その突出高さは、延出方向の全体に亘って、直線的に延びる部分におけるパチンコ球払出装置５２との接続端側と略同じ大きさとされている。なお、他方のレール５４ｂの両側壁５６ｂ、５６ｂの高さ寸法は、延出方向の全体に亘って、略同じとされている。
【００２９】
更にまた、各レール５４の両側壁５６，５６の外面には、片方の側壁５６に二つずつ、合計四つの固定部６２が設けられている。特に、各レール５４において一方の側壁５６に設けられた二つの固定部６２，６２は、タンクレール４８との接続端付近と、各レール５４の直線的に延びる部分におけるパチンコ球払出装置５２との接続端側に一つずつ位置せしめられていると共に、各レール５４において他方の側壁５６に設けられた二つの固定部６２，６２は、パチンコ球払出装置５２との接続端付近と、各レール５４の直線的に延びる部分におけるタンクレール４８との接続端側に一つずつ位置せしめられている。即ち、四つの固定部６２は、各レール５４の延出方向において交互に設けられているのである。
【００３０】
そこにおいて、一方のレール５４ａに設けられた四つの固定部６２ａは、それぞれ、レール５４ａの開口側に突出せしめられている。即ち、本実施形態では、四つの固定部６２のそれぞれが係止突部を構成しているのである。また、本実施形態では、一方のレール５４ａに設けられた四つの固定部６２ａは、それぞれ、側壁５６ａの外面上に突き出すように設けられており、突き出し方向において、外方端部よりも側壁５６ａ上の端部のほうがレール５４ａの延出方向、即ち、レール５４ａの長手方向に広がった断面形状で、レール５４ａの開口側に突出せしめられている。更にまた、他方のレール５４ｂに設けられた四つの固定部６２ｂは、それぞれ、レール５４ｂの開口端側の端面が、レール５４ｂの開口端面に対して面一とされている一方、レール５４ｂの底壁５８側の端面が底壁５８の外面よりもレール５４ｂの開口側に位置せしめられている。
【００３１】
なお、二つのレール５４ａ，ｂは、何れも、可視光線に対して透明な合成樹脂材によって形成されている。また、これら二つのレール５４ａ，ｂは、それぞれ、射出成形等によって成形される。
【００３２】
このような構造とされた二つのレール５４ａ，ｂは、図９に示されているように、他方のレール５４ｂが、その開口側から本体ベース３６（取付部３８）に重ね合わせられると共に、一方のレール５４ａが、その開口側から他方のレール５４ｂに重ね合わせられるようになっている。そして、このように二つのレール５４ａ，ｂが本体ベース３６（取付部３８）に対して順次重ね合わせた状態で、各レール５４に設けられた固定部６２の挿通孔６４に対して本体ベース３６（取付部３８）に突設された四つの取付ピン６６がそれぞれ挿通せしめられており、各取付ピン６６に設けられたネジ穴に対してビス６８を螺着することで、二つのレール５４ａ，ｂが本体ベース３６（取付部３８）に対して固定されている。なお、一方のレール５４ａに設けられた各固定部６２ａにおける突出端と反対側の端部には、挿通孔６４ａの内側に突出する内側突部７０が設けられており、かかる内側突部７０に取付ピン６６が当接せしめられることで取付ピン６６の突出端が規定されている。
【００３３】
また、このように二つのレール５４ａ，ｂが本体ベース３６（取付部３８）に固定されることで、他方のレール５４ｂの開口は本体ベース３６（取付部３８）によって覆蓋されていると共に、一方のレール５４ａの開口は他方のレール５４ｂの底壁５８によって覆蓋されており、これによって、カーブレール５０が構成されている。また、他方のレール５４ｂと本体ベース３６（取付部３８）の間に一つの球通路７２が形成されていると共に、他方のレール５４ｂの底壁５８と一方のレール５４ａの間に一つの球通路７４が形成されている。即ち、採用されているレール５４ａ，ｂの数（本実施形態では、２つ）と同じ数だけの球通路７２，７４が、二つのレール５４ａ，ｂの積み重ね方向において並列的に設けられているのである。そして、これら二つの球通路７２，７４は、タンクレール４８との接続端側において、タンクレール４８に設けられた二条の球誘導路７６，７６の出側開口７８，７８に対してそれぞれ接続されるようになっていると共に、パチンコ球払出装置５２との接続端側において、パチンコ球払出装置５２に設けられた二条の球供給路８０，８０の入側開口８２，８２に対してそれぞれ接続されるようになっている。
【００３４】
更にまた、他方のレール５４ｂの底壁５８に突設された当接リブ６０が、一方のレール５４ａの内側に入り込むように位置せしめられており、かかる当接リブ６０の突出端と一方のレール５４ａの底壁５８ａとの隙間寸法が、タンクレール４８との接続端側における一方のレール５４ａの底壁５８ａと他方のレール５４ｂの底壁５８ｂとの対向面間距離と略同じとされている。これにより、本実施形態では、一方のレール５４ａの開口が他方のレール５４ｂの底壁５８ｂで覆蓋されることで形成される球通路７４の一部は、当接リブ６０の突出先端面と一方のレール５４ａの底面との対向面間に形成されている。
【００３５】
また、一方のレール５４ａに設けられた固定部６２ａは、図１０〜１３に示されているように、その突出先端部分が、他方のレール５４ｂにおける側壁５６ｂに対して重ね合わせられている。即ち、一方のレール５４ａに設けられた固定部６２ａにおける他方のレール５４ｂの側壁６２ｂへの重ね合わせ面８４は、他方のレール５４ｂにおける側壁５６ｂの外面８６に対応しているのである。そこにおいて、本実施形態では、一方のレール５４ａに設けられた固定部６２ａにおける側壁５６ａのほうの端部に肉抜孔が形成されていると共に、固定部６２ａが略同じ断面形状でレール５４ａの開口側に突出していることから、一方のレール５４ａに設けられた固定部６２ａにおける他方のレール５４ｂの側壁５６ｂへ重ね合わせられる部分は、レール５４ａの延出方向の両端部分とされている。
【００３６】
このようなカーブレール５０に接続されるパチンコ球払出装置５２は、直方体状のハウジングを有し、ハウジングの内部には、球通路７２，７４に連通される球供給路８０，８０が設けられている。また、ハウジングの内部には、ステッピングモータ等で構成された賞球モータ（図示せず）が配設されている。更にまた、この賞球モータの回転軸に対してスクリュー（図示せず）が固定されており、このスクリューに対して、各球供給路８０を流下するパチンコ球が当接せしめられるようになっている。そして、賞球モータの回転によってスクリューが回転せしめられることとなり、それによって、パチンコ球をパチンコ球払出装置５２の下方に排出するようになっている。
【００３７】
このようにして下方に排出されたパチンコ球は、パチンコ球払出装置５２の下方に配設された本体ベース３６の通路形成部４０によって形成される排出通路８８，８８を通じて、打球供給皿２８に導かれるようになっている。
【００３８】
上述の如き構造とされたパチンコ機１０においては、一方のレール５４ａに設けられた固定部６２ａがレール５４ａの開口側に突出せしめられていることから、一方のレール５４ａと他方のレール５４ｂが容易に区別せしめられることとなり、それによって、作業者に一方のレール５４ａと他方のレール５４ｂの違いを判らせて、作業者が一方のレール５４ａと他方のレール５４ｂを間違った順番で重ね合わせる等の作業ミスをしないようにすることが可能となる。
【００３９】
また、本実施形態においては、一方のレール５４ａに設けられた固定部６２ａが、その突出先端部分において、他方のレール５４ｂの側壁５６ｂに対して重ね合わせられていることから、一方のレール５４ａと他方のレール５４ｂが相対的に位置決めされるようになっており、それによって、それら二つのレール５４ａ，ｂの重ね合わせ位置にズレが生じないようにすることが可能となる。
【００４０】
以上、本発明の一実施形態について詳述してきたが、これはあくまでも例示であって、本発明は、かかる実施形態における具体的な記載によって、何等、限定的に解釈されるものではない。
【００４１】
例えば、前記実施形態では、二つのレール５４ａ，ｂが採用されていたが三つ以上の凹溝レールを採用することも可能である。また、前記実施形態では、二条の球通路７２，７４が設けられていたが、球通路の数は、二条に限定されず、三条以上であっても良い。
【００４２】
さらに、前記実施形態では、一方のレール５４ａを本体ベース３６（取付部３８）に対して固定するための固定部６２ａを利用して突出部が構成されていたが、位置決め専用の突出部を別途設けることも可能である。また、前記実施形態では、全ての固定部６２ａを利用して突出部を構成していたが、必ずしも全ての固定部を利用して突出部を構成する必要はない。
【００４３】
その他、一々列挙はしないが、本発明は、当業者の知識に基づいて種々なる変更，修正，改良等を加えた態様において実施され得るものであり、また、そのような実施態様が、本発明の趣旨を逸脱しない限り、何れも、本発明の範囲内に含まれるものであることは、言うまでもない。
【図面の簡単な説明】
【００４４】
【図１】本発明の一実施形態としてのパチンコ機を示す正面図である。
【図２】図１に示されたパチンコ機の裏側を示す図面である。
【図３】図１に示されたパチンコ機に採用されている本体ベースおよび本体ベースに固定されるカーブレール等の各種部品の分解斜視図である。
【図４】図１に示されたパチンコ機に採用されている本体ベースに対してカーブレール等の各種部品が固定された状態を示す斜視図である。
【図５】図１に示されたパチンコ機に採用されている一方のレールの平面図である。
【図６】図５における右側面図である。
【図７】図１に示されたパチンコ機に採用されている他方のレールの平面図である。
【図８】図７における右側面図である。
【図９】二つのレールが本体ベースに固定された状態を示す側面図である。
【図１０】図６におけるＸ−Ｘ方向の断面図であって、その要部を示すものである。
【図１１】図８におけるＸＩ−ＸＩ方向の断面図であって、その要部を示すものである。
【図１２】図８におけるＸＩＩ−ＸＩＩ方向の断面図であって、その要部を示すものである。
【図１３】図６におけるＸＩＩＩ−ＸＩＩＩ方向の断面図であって、その要部を示すものである。
【符号の説明】
【００４５】
１０  パチンコ機
１６  遊技盤
３６  本体ベース
４６  球タンク
４８  タンクレール
５０  カーブレール
５２  パチンコ球払出装置
５４  レール
５６  側壁
６２  固定部
７２  球通路
７４  球通路
７８  出側開口
８２  入側開口
８６  外面
【図１】
2005124782.tif 000003
【図２】
2005124782.tif 000004
【図３】
2005124782.tif 000005
【図４】
2005124782.tif 000006
【図５】
2005124782.tif 000007
【図６】
2005124782.tif 000008
【図７】
2005124782.tif 000009
【図８】
2005124782.tif 000010
【図９】
2005124782.tif 000011
【図１０】
2005124782.tif 000012
【図１１】
2005124782.tif 000013
【図１２】
2005124782.tif 000014
【図１３】
2005124782.tif 000015